(57)【要約】【課題】販売商品に一定の品質を確保し、かつ省エネルギー化を図ること。【解決手段】商品収納通路５３の中間位置に開閉可能に配設し、通常状態において閉塞することにより商品収納通路５３を上下に分断する一方、商品Ｇが通過する場合には開放状態となるシャッタ部材５７と、シャッタ部材５７よりも下方に位置する商品収納通路５３の上端部に開閉可能に配設し、通常状態において閉塞することによりそれぞれの商品収納通路５３を通過する空気の流量を制御する一方、商品Ｇが通過する場合には開放状態となる通気制御部材５６とを備えるようにしている。【選択図】          図４
2007179451.tif 000002
【特許請求の範囲】
【請求項１】
商品収納庫の内部に上下方向に沿って商品を収納する複数の商品収納通路を備え、商品収納庫に対してその下方部から熱交換手段を通過した後の空気を供給することによりそれぞれの商品収納通路に収納した商品を所望の温度状態に維持する一方、販売指令が与えられた場合には対応する商品収納通路の下位に位置する商品から順次払い出しを行う自動販売機において、
商品収納通路の中間位置に進退可能に配設し、通常状態において進出移動することにより商品収納通路を上下に分断する一方、商品が通過する場合には退行状態となるシャッタ部材と、
シャッタ部材よりも下方に位置する商品収納通路の上端部に進退可能に配設し、通常状態において進出状態となることによりそれぞれの商品収納通路を通過する空気の流量を制御する一方、商品が通過する場合には退行状態となる通気制御部材と
を備えたことを特徴とする自動販売機。
【請求項２】
複数の商品収納通路を商品収納庫の前後方向に沿って並設するとともに、これら複数の商品収納通路よりも奥方となる部位に商品収納庫の空気を熱交換手段に返送する返送ダクトを設け、
前記通気制御部材には、商品収納庫の奥方側に位置するものの開口面積が手前側に位置するものよりも小さくなる態様で制御用通気孔を形成したことを特徴とする請求項１に記載の自動販売機。
【請求項３】
ペダル部材を商品収納通路に対して進出移動させた場合に商品の通過を阻止する一方、ペダル部材を商品収納通路に対して退行移動させた場合に商品の通過を許容する商品通過規制手段をシャッタ部材よりも上方に位置する商品収納通路の下端部に配設し、かつこの商品通過規制手段のペダル部材に前記シャッタ部材を保持させたことを特徴とする請求項１に記載の自動販売機。
【請求項４】
柔軟性を有した材料によって前記シャッタ部材を成形したことを特徴とする請求項３に記載の自動販売機。
【発明の詳細な説明】
【技術分野】
【０００１】
本発明は、自動販売機に関するものである。
【背景技術】
【０００２】
缶入り飲料やペットボトル入り飲料等の商品を販売する自動販売機では、本体キャビネットに商品を収納するための商品収納庫が構成されている。商品収納庫は、断熱材によって囲まれた空間であり、商品シュータによって仕切られた上方部に商品ラックを備えた商品室が構成されている一方、その下方部に熱交換室が構成され、さらに最奥方には背面ダクトが設けられている。
【０００３】
商品ラックは、上下方向に沿って延設した商品収納通路に商品を収納するもので、その下端部にベンドメックを備えているとともに、その中間部にシャッタ部材を備えている。ベンドメックは、通常状態においては商品の下動を阻止する一方、販売指令が与えられた場合に商品収納通路の最下位に位置する商品を一つずつ下方に払い出すためのものである。シャッタ部材は、断熱部材によって構成した仕切部材であり、商品収納通路を上下に仕切る態様で配設されている。
【０００４】
熱交換室は、送風を行う送風ファンと熱交換手段を備えたものである。熱交換手段は、空気を冷却するための冷却手段や空気を加熱するための加熱手段である。
【０００５】
背面ダクトは、商品収納庫の最奥方において商品室と熱交換室との間を互いに連通する態様で設けられた通気通路である。
【０００６】
上記のように構成した自動販売機では、熱交換室に配設した送風ファンを駆動すると、熱交換室の空気が商品シュータのシュータ通気孔から商品室に供給される一方、商品室の空気が背面ダクトを通じて熱交換室に返送されることになる。従って、熱交換室の冷却手段を駆動すれば、循環供給される冷風によって商品室の商品が冷却維持されることになり、また熱交換室の加熱手段を駆動すれば、循環供給される温風によって商品室の商品が加熱維持されることになる。これにより、利用者が硬貨を投入する等の販売操作を行えば、対応する商品を収納した商品収納通路に販売指令が与えられ、最下位に収納された商品が冷却、あるいは加熱された状態で利用者に払い出されることになる。
【０００７】
しかも、上述した自動販売機によれば、商品ラックの中間部にシャッタ部材を配設しているため、商品室の下方部に収納した商品を集中的に冷却、あるいは加熱することができるようになり、消費電力を低減できる等、省エネルギーの点で有利となる（例えば、特許文献１参照）。
【０００８】
【特許文献１】特開２００５−２９３３６５号公報
【発明の開示】
【発明が解決しようとする課題】
【０００９】
ところで、この種の自動販売機にあっては、通常、商品室に複数の商品収納通路を配設し、それぞれの商品収納通路に異なる商品を収納させることにより、利用者の様々な要求に対応すべく、より多くの種類の商品を販売するようにしている。
【００１０】
しかしながら、商品室に複数の商品収納通路を設けた場合には、商品シュータのシュータ通気孔からほぼ均等に空気を供給したとしても、それぞれの商品収納通路から払い出される商品の温度にバラ付きが出るのが現状であり、販売商品に一定の品質を確保する上で必ずしも好ましいとは言えない。
【００１１】
本発明は、上記実情に鑑みて、販売商品に一定の品質を確保し、かつ省エネルギー化を図ることのできる自動販売機を提供することを目的とする。
【課題を解決するための手段】
【００１２】
上述した課題に対して鋭意研究を重ねた結果、本発明者らは、商品温度にバラ付きが出る原因が、複数の商品収納通路で互いに通気抵抗が異なることに起因することを突き止めた。例えば、商品収納庫の最奥方にダクトを備えた自動販売機においては、商品収納庫の奥行き方向に沿って複数の商品収納通路を並設した場合、手前側に位置する商品収納通路の通気抵抗が奥方に位置する商品収納通路の通気抵抗よりも大きくなる。従って、商品シュータのシュータ通気孔からほぼ均等に空気を供給した場合にも、その後それぞれの商品収納通路を通過する空気の流量が異なる結果、販売商品に温度のバラ付きが出ることを突き止め、本発明を完成させるに至った。
【００１３】
すなわち、本発明の請求項１に係る自動販売機は、商品収納庫の内部に上下方向に沿って商品を収納する複数の商品収納通路を備え、商品収納庫に対してその下方部から熱交換手段を通過した後の空気を供給することによりそれぞれの商品収納通路に収納した商品を所望の温度状態に維持する一方、販売指令が与えられた場合には対応する商品収納通路の下位に位置する商品から順次払い出しを行う自動販売機において、商品収納通路の中間位置に進退可能に配設し、通常状態において進出移動することにより商品収納通路を上下に分断する一方、商品が通過する場合には退行状態となるシャッタ部材と、シャッタ部材よりも下方に位置する商品収納通路の上端部に進退可能に配設し、通常状態において進出状態となることによりそれぞれの商品収納通路を通過する空気の流量を制御する一方、商品が通過する場合には退行状態となる通気制御部材とを備えたことを特徴とする。
【００１４】
また、本発明の請求項２に係る自動販売機は、上述した請求項１において、複数の商品収納通路を商品収納庫の前後方向に沿って並設するとともに、これら複数の商品収納通路よりも奥方となる部位に商品収納庫の空気を熱交換手段に返送する返送ダクトを設け、前記通気制御部材には、商品収納庫の奥方側に位置するものの開口面積が手前側に位置するものよりも小さくなる態様で制御用通気孔を形成したことを特徴とする。
【００１５】
また、本発明の請求項３に係る自動販売機は、上述した請求項１において、ペダル部材を商品収納通路に対して進出移動させた場合に商品の通過を阻止する一方、ペダル部材を商品収納通路に対して退行移動させた場合に商品の通過を許容する商品通過規制手段をシャッタ部材よりも上方に位置する商品収納通路の下端部に配設し、かつこの商品通過規制手段のペダル部材に前記シャッタ部材を保持させたことを特徴とする。
【００１６】
また、本発明の請求項４に係る自動販売機は、上述した請求項３において、柔軟性を有した材料によって前記シャッタ部材を成形したことを特徴とする。
【発明の効果】
【００１７】
本発明によれば、通気制御部材を設けることにより、それぞれの商品収納通路を通過する空気の流量を調整することが可能となる。従って、商品室に複数の商品収納通路を配設した場合にも、個々の商品収納通路から払い出される商品の温度を制御することが可能となり、販売商品に一定の品質を確保することができるようになる。
【発明を実施するための最良の形態】
【００１８】
以下に添付図面を参照して、本発明に係る自動販売機の好適な実施の形態について詳細に説明する。
【００１９】
図１及び図２は、本発明の実施の形態である自動販売機を示したものである。ここで例示する自動販売機は、缶、ビン、パック、ペットボトル等の容器に入れた状態で提供される飲料を販売商品Ｇとして取り扱うもので、本体キャビネット１０を備えている。本体キャビネット１０は、複数の鋼板を組み合わせることによって構成したもので、前面が開口した直方状を成している。
【００２０】
本体キャビネット１０の一側縁部には、外扉２０及び内扉３０を保持させてある。外扉２０は、本体キャビネット１０の前面開口を開閉するためのもので、自動販売機の正面となる部分である。図には明示していないが、この外扉２０の前面には、販売商品Ｇの見本を展示する商品展示室、販売商品Ｇを選択するための選択ボタン、貨幣を投入するための貨幣投入口、払い出された商品Ｇを取り出すための商品取出口等々、商品Ｇの販売に必要となる構成が配置してある。内扉３０は、断熱材によって構成したもので、後述する商品収納庫４０の前面開口を開閉すべく外扉２０と本体キャビネット１０との間に配設してある。
【００２１】
また、本体キャビネット１０の内部には、商品Ｇを収納するための商品収納庫４０が複数設けてある。それぞれの商品収納庫４０は、前面が開口する箱状を成すもので、上下左右奥壁がそれぞれ断熱材によって構成してある。本実施の形態では、図２に示すように、本体キャビネット１０の内部に左右方向に沿って３つの商品収納庫４０が並設してある。
【００２２】
個々の商品収納庫４０には、図１に示すように、商品シュータ４１が配設してあり、この商品シュータ４１によって仕切られた下方部に熱交換室４０Ｂが構成してある一方、その上方部に商品室４０Ａが構成してある。
【００２３】
商品シュータ４１は、複数のシュータ通気孔４１ａを有したプレート状部材であり、商品収納庫４０の奥方から手前側に向けて漸次下方に傾斜する態様で商品収納庫４０の下方部に固定してある。
【００２４】
商品収納庫４０の熱交換室４０Ｂには、送風ファン６０、冷却手段（熱交換手段）６１及び加熱手段（熱交換手段）６２が配設してある。送風ファン６０は、熱交換室４０Ｂの空気を商品シュータ４１に向けて送風し、商品シュータ４１のシュータ通気孔４１ａを通じて商品室４０Ａに供給するものである。冷却手段６１は、熱交換室４０Ｂの空気を冷却するためのものである。本実施の形態では、冷凍サイクルの蒸発器を配設することによって冷却手段６１を構成している。冷凍サイクルの圧縮機６３、凝縮器６４及び膨張弁６５は、いずれも商品収納庫４０の外部となる機械室に配設してある。加熱手段６２は、熱交換室４０Ｂの空気を加熱するためのものである。本実施の形態では、蒸発器と送風ファン６０との間に電熱ヒータを配設することによって加熱手段６２を構成している。
【００２５】
一方、商品収納庫４０の商品室４０Ａは、商品Ｇを収納するための領域であり、その内部にコラム状を成す複数の商品ラック５０が奥行方向に沿って並設してある。それぞれの商品ラック５０は、一対のラック側板５１の間に案内板５２を配設することにより上下方向に沿って延在する商品収納通路５３を構成したもので、この商品収納通路５３に商品Ｇを収納する一方、利用者の購入操作に応じて販売指令が与えられた場合に商品収納通路５３の最下位に位置した商品Ｇを商品シュータ４１に払い出すもので、例えばサーペンタイン式と称される蛇行状に構成してある。図からも明らかなように、本実施の形態では、奥行方向に商品収納通路５３を２つ備えた商品ラック５０ｆと、奥行方向に商品収納通路５３を４つ備えた商品ラック５０ｒとを商品室４０Ａに並設するようにした自動販売機を例示している。尚、これらの商品ラック５０ｆ，５０ｒは、商品収納庫４０に対して個別に取り扱うことが可能である。
【００２６】
個々の商品ラック５０には、それぞれの商品収納通路５３の下端部及び中間部にベンドメック５４，５５が設けてあるとともに、中間部に設けたベンドメック（商品通過規制手段）５５よりも下方となる高さ位置に通気制御部材５６が設けてある。
【００２７】
ベンドメック５４，５５は、ペダル５４ａ，５５ａを突出させた状態において商品収納通路５３に商品Ｇを収納する一方、ペダル５４ａ，５５ａを下方に揺動させることにより、最下位に位置する商品Ｇを１つずつ下方に払い出すように動作するものである。尚、以下においては、商品収納通路５３の下端部に配設したベンドメックを下方ベンドメック５４、下方ベンドメック５４に配設したペダルを下方ペダル５４ａと称する一方、商品収納通路５３の中間部に配設したベンドメックを中間ベンドメック５５、中間ベンドメック５５に配設したペダルを中間ペダル５５ａと称して説明する。
【００２８】
中間ベンドメック５５には、図３及び図４に示すように、中間ペダル５５ａにシャッタ部材５７が設けてある。シャッタ部材５７は、断熱性及び柔軟性を有した材料、例えばニトリルゴム、フッ素ゴム、シリコンゴム、ウレタンゴム等によって成形した薄板状部材であり、個々の中間ペダル５５ａの下面に取り付けられている。図からも明らかなように、このシャッタ部材５７は、中間ペダル５５ａが突出した場合にその周縁部をラック側板５１及び案内板５２に圧接させた状態で商品収納通路５３を上下に分断する一方、中間ペダル５５ａが下方に揺動した場合に商品収納通路５３を上下に連通させるように構成してある。
【００２９】
通気制御部材５６は、断熱材によって構成した湾曲状のプレート状部材であり、軸部材５６ｂを介して揺動可能に支持させることにより、シャッタ部材５７よりも下方となる位置において個々の商品収納通路５３を個別に開閉することが可能である。図には明示していないが、それぞれの通気制御部材５６は、コイルスプリングの弾性力により通常状態において商品収納通路５３を上下に分断する態様で突出配置される一方、商品荷重が加えられた場合には下方に向けて揺動し、商品収納通路５３を開放することによって商品Ｇの通過を許容するように構成してある。商品Ｇが通過した後の通気制御部材５６は、コイルスプリングの弾性復元力により、再び商品収納通路５３を上下に分断すべく突出配置された状態に復帰することになる。
【００３０】
図４に明示するように、中間ベンドメック５５の中間ペダル５５ａに保持させたシャッタ部材５７と通気制御部材５６との間に位置する案内板５２にはサイド通気孔５２ａが設けてあり、また通気制御部材５６には制御用通気孔５６ａが設けてある。
【００３１】
サイド通気孔５２ａは、隣接する商品収納通路５３の相互間において空気を前後方向に沿って流通させるための開口である。本実施の形態では、互いに合計開口面積が同一となる態様でそれぞれの案内板５２にサイド通気孔５２ａを形成している。
【００３２】
制御用通気孔５６ａは、通気制御部材５６が商品収納通路５３を閉塞した状態において当該通気制御部材５６の下方から上方へ通過する空気の流量を制御するための開口である。本実施の形態では、図５に示すように、合計開口面積が商品収納庫４０の奥方に向けて漸次小さくなる態様でそれぞれの商品収納通路５３の通気制御部材５６に制御用通気孔５６ａを形成している。
【００３３】
尚、図５に示した例においては、最奥方の商品収納通路５３に配設した通気制御部材５６にも制御用通気孔５６ａが設けてあるが、最奥方の商品収納通路５３に配設した通気制御部材５６の合計開口面積が「０」となるように、制御用通気孔５６ａをまったく形成しない態様で通気制御部材５６を構成しても構わない。
【００３４】
さらに、それぞれの商品収納庫４０には、図１に示すように、背面ダクト７０が設けてある。背面ダクト７０は、商品収納庫４０の背面に沿って上下方向に延在する通気通路であり、例えば、商品収納庫４０の奥方に鉛直方向に沿ってダクト構成板７１を配設することにより構成してある。この背面ダクト７０には、上端部に吸出口７２が設けてある一方、下端に吹出口７３が設けてある。吸出口７２は、商品収納庫４０の商品室４０Ａにおいてシャッタ部材５７と通気制御部材５６との間に対応する高さ位置に開口している。吹出口７３は、商品収納庫４０の熱交換室４０Ｂにおいて冷却手段（蒸発器）６１に対向する態様でダクト構成板７１の前面に開口している。
【００３５】
上記のように構成した自動販売機では、販売待機状態にある場合、中間ベンドメック５５の中間ペダル５５ａ及び下方ベンドメック５４の下方ペダル５４ａがいずれも商品収納通路５３に突出した状態にあり、それぞれの商品収納通路５３に商品Ｇが上下方向に沿って収納された状態となっている。
【００３６】
この販売待機状態において熱交換室４０Ｂの送風ファン６０を駆動すると、熱交換室４０Ｂの空気が商品シュータ４１のシュータ通気孔４１ａを通じて商品室４０Ａに供給されることになる。商品室４０Ａに供給された空気は、個々の商品収納通路５３に沿って上方に案内され、それぞれの通気制御部材５６に形成した制御用通気孔５６ａを通過した後、閉塞するシャッタ部材５７によってさらなる上方への移動が規制されることになる。
【００３７】
上方への移動が規制された空気は、案内板５２に形成したサイド通気孔５２ａを通じて順次商品収納庫４０の奥方に至り、背面ダクト７０の吸出口７２及び吹出口７３を介して熱交換室４０Ｂに返送されることになる。つまり、販売待機状態においては、熱交換室４０Ｂ→商品シュータ４１のシュータ通気孔４１ａ→商品収納通路５３→通気制御部材５６の制御用通気孔５６ａ→案内板５２のサイド通気孔５２ａ→背面ダクト７０→熱交換室４０Ｂという循環経路において商品収納庫４０に空気が循環供給されることになる。
【００３８】
従って、熱交換室４０Ｂにおいて冷却手段６１を駆動すれば、冷却された空気によって商品ラック５０の商品Ｇを冷却した状態のコールド商品として提供することができ、また加熱手段６２を駆動すれば、加熱された空気によって商品ラック５０の商品Ｇを加熱した状態のホット商品として提供することができるようになる。
【００３９】
しかも、上述の販売待機状態においては、シャッタ部材５７が商品収納通路５３を上下に分断した状態にあるため、それぞれの商品収納通路５３においてシャッタ部材５７よりも下方に収納された商品Ｇにのみ集中的に熱交換後の空気が循環供給されることになり、消費電力を低減できる等、省エネルギーの点で有利となる。
【００４０】
さらに、本実施の形態では、断熱性及び柔軟性を有した材料によってシャッタ部材５７を成形し、かつシャッタ部材５７を進出移動させた場合にその周縁部をラック側板５１及び案内板５２に圧接させるようにしているため、空気が上方に漏れる事態を確実に防止することが可能となる。従って、仮に商品シュータ４１を介して熱交換室４０Ｂから商品室４０Ａへ供給される空気の吹出力に対し、背面ダクト７０を介して商品室４０Ａから熱交換室４０Ｂへ返送される空気の吸込力が小さくなった場合にも、シャッタ部材５７を通じた空気の上方への漏出を確実に防止することができ、商品収納通路５３においてシャッタ部材５７よりも上方に収納された商品Ｇが加熱、もしくは冷却される虞れがない。この結果、例えばホット商品が長時間に亘って加熱される事態を招来することがなく、商品の保存性の点でもきわめて有利となる。
【００４１】
この間、利用者の購入操作に応じて販売指令が与えられると、対応する商品収納通路５３に配設した下方ベンドメック５４の下方ペダル５４ａが下方に向けて揺動し、最下位に収納されていた商品Ｇが商品シュータ４１に払い出される。商品シュータ４１に払い出された商品Ｇは、その傾斜に従って外扉２０の商品取出口に案内され、商品取出口を通じて利用者の手に渡ることになる。
【００４２】
ここで、商品収納庫４０の最奥方に背面ダクト７０を備えるとともに、商品収納庫４０の奥行き方向に沿って複数の商品収納通路５３を並設した自動販売機にあっては、単に商品収納通路５３を並設しただけでは手前側に位置する商品収納通路５３の通気抵抗が奥方に位置する商品収納通路５３の通気抵抗よりも大きくなる傾向にあり、商品シュータ４１のシュータ通気孔４１ａからほぼ均等に空気を供給した場合であっても、それぞれの商品収納通路５３を通過する空気の流量が異なる結果、販売商品Ｇに温度のバラ付きが出る虞れがある。
【００４３】
しかしながら、上記自動販売機によれば、合計開口面積が商品収納庫４０の奥方に向けて漸次小さくなる態様でそれぞれの商品収納通路５３の通気制御部材５６に制御用通気孔５６ａを形成しているため、販売待機状態においてそれぞれの商品収納通路５３の通気抵抗を商品収納庫４０の位置に関わらずほぼ一定とすることができる。この結果、商品収納庫４０の異なる位置に配置された商品収納通路５３から商品Ｇを払い出した場合であっても、それぞれの温度をほぼ均等に維持することができるようになり、販売商品Ｇに一定の品質を確保することが可能となる。
【００４４】
尚、商品Ｇを払い出した後においては、適宜のタイミングで中間ベンドメック５５の中間ペダル５５ａ及びシャッタ部材５７が下方に向けて揺動し、中間ペダル５５ａによって下方への移動が規制されていた商品Ｇが１つ払い出されることになる。中間ベンドメック５５から商品Ｇが払い出されると、この商品Ｇの荷重が通気制御部材５６の上面に加えられるため、コイルスプリングの弾性力に抗して通気制御部材５６が下方に揺動し、商品Ｇの下方への移動が許容されることになる。以下、上述した動作が繰り返し行われ、省エネルギー化を図った上で、一定の品質を確保した商品Ｇを継続して販売することが可能となる。
【００４５】
尚、上述した実施の形態では、容器入り飲料を商品Ｇとして販売する自動販売機を例示しているが、商品収納庫４０の内部に上下方向に沿って商品Ｇを収納する複数の商品収納通路５３を備え、商品収納庫４０に対してその下方部から熱交換手段を通過した後の空気を供給することにより商品収納通路５３に収納した商品Ｇを所望の温度状態に維持する一方、販売指令が与えられた場合には対応する商品収納通路５３の下位に位置する商品Ｇから順次払い出しを行うものであれば、その他の商品Ｇを販売する自動販売機にも適用することが可能である。また、本体キャビネット１０の内部に左右方向に沿って３つの商品収納庫４０を並設した自動販売機を例示しているが、商品収納庫４０の数はこれに限定されない。さらに、奥行方向に商品収納通路５３を２つ備えた商品ラック５０ｆと、奥行方向に商品収納通路５３を４つ備えた商品ラック５０ｒとを商品室４０Ａに並設するようにした自動販売機を例示しているが、商品室に並設する商品ラックの数や構成に関してはこれらに限定されない。
【００４６】
また、上述した実施の形態では、通気制御部材５６に形成した制御用通気孔５６ａの合計開口面積を変化させることによって複数の商品収納通路５３を通過する空気の流量を相互に調整するようにしているが、必ずしも制御用通気孔５６ａの合計開口面積を変化させるものに限らない。例えば、通気制御部材の大きさを互いに変更することにより商品収納通路に対する通気制御部材の専有面積を変化させるようにしても良いし、同一の大きさを有した通気制御部材を使用する一方、販売待機状態での姿勢を互いに変化させることによって間隙の大きさを相互に異なるものとし、この間隙を通過する空気の流量を調整するようにすることも可能である。
【００４７】
さらに、上述した実施の形態では、通気制御部材５６及びシャッタ部材５７をそれぞれ上下方向に揺動させることにより個々の商品収納通路５３に対して進退可能となるように構成しているが、通気制御部材５６及びシャッタ部材５７の移動態様は必ずしも揺動に限らない。また、シャッタ部材５７を揺動させる場合に上述した実施の形態では、中間ベンドメック５５の中間ペダル５５ａに取り付けるようにしているが、通常状態において進出移動することにより商品収納通路を上下に分断する一方、商品が通過する場合には退行状態となれば、中間ペダルとシャッタ部材とを互いに離間した位置に配設し、かつ中間ペダルとシャッタ部材とを個別に揺動させるようにしてももちろん良い。
【図面の簡単な説明】
【００４８】
【図１】本発明の実施の形態である自動販売機の内部構成を概念的に示す断面側面図である。
【図２】図１に示した自動販売機の外観を示す斜視図である。
【図３】図１に示した自動販売機の要部を示す拡大図である。
【図４】図１に示した自動販売機の要部を示す斜視図である。
【図５】図１に示した自動販売機の要部を示す断面平面図である。
【符号の説明】
【００４９】
４０      商品収納庫
４１      商品シュータ
５０      商品ラック
５２ａ      サイド通気孔
５３      商品収納通路
５５      中間ベンドメック
５５ａ      中間ペダル
５６      通気制御部材
５６ａ      制御用通気孔
５７      シャッタ部材
６１，６２      熱交換手段
７０      背面ダクト
Ｇ      商品
【図１】
2007179451.tif 000003
【図２】
2007179451.tif 000004
【図３】
2007179451.tif 000005
【図４】
2007179451.tif 000006
【図５】
2007179451.tif 000007